(57)【要約】【課題】ＩＥＥＥ８０２．１１ａｘ規格に準拠したフレームについて受信誤りが発生する場合であっても、被試験対象からのＩＥＥＥ８０２．１１ａｘ規格に準拠したフレームの送信を維持して被試験対象に対する測定を行うことができる測定装置及び測定方法を提供する。【解決手段】ＤＵＴ１から送信されたフレームにおけるＬ−ＳＩＧのビット列とそれに続くフィールドのビット列とが一致するか否かを判断することによりＩＥＥＥ８０２．１１ａｘフレームを検出する比較判断部１７と、ＩＥＥＥ８０２．１１ａｘフレームを検出したと比較判断部１７が判断した場合に確認応答フレームをＤＵＴ１に送信する確認応答送信部１３ｂと、ＩＥＥＥ８０２．１１ａｘフレームに対して測定を行う測定部１８と、を備える。【選択図】図１
2020039105.tif 000002
【特許請求の範囲】
【請求項１】
ＩＥＥＥ８０２．１１ａｘ規格に準拠したフレームを所定の送信先に送信した後に、前記フレームが前記送信先に受信されたことを示す確認応答フレームを受信しなかった場合に、ＩＥＥＥ８０２．１１ａｘ規格とは異なる通信規格に準拠したフレームを再送する被試験対象（１）に対して測定を行う測定装置（１０）であって、
前記被試験対象から送信された前記フレームをディジタルの複素ベースバンド信号に変換する受信部（１４）と、
レガシ信号フィールド（Ｌ−ＳＩＧ）を含むＯＦＤＭシンボルと、Ｌ−ＳＩＧを含む前記ＯＦＤＭシンボルに続くＯＦＤＭシンボルとを前記複素ベースバンド信号から抽出するＯＦＤＭシンボル抽出部（１５）と、
前記ＯＦＤＭシンボル抽出部により抽出された２つのＯＦＤＭシンボルをそれぞれ復調及び復号する復調・復号部（１６）と、
前記復調・復号部により復調及び復号された２つのＯＦＤＭシンボルのビット列が一致するか否かを判断する比較判断部（１７）と、
前記復調・復号部により復調及び復号された２つのＯＦＤＭシンボルのビット列が一致すると前記比較判断部が判断した場合に、前記確認応答フレームを前記被試験対象に送信する確認応答送信部（１３ｂ）と、
前記復調・復号部により復調及び復号された２つのＯＦＤＭシンボルのビット列が一致すると前記比較判断部が判断した前記フレームに対して測定を行う測定部（１８）と、を備えることを特徴とする測定装置。
【請求項２】
前記受信部は、前記被試験対象がピングコマンドに応じて送信する応答フレームを前記フレームとして受信するものであることを特徴とする請求項１に記載の測定装置。
【請求項３】
前記測定部は、前記被試験対象の送信特性を測定することを特徴とする請求項１又は請求項２に記載の測定装置。
【請求項４】
ＩＥＥＥ８０２．１１ａｘ規格に準拠したフレームを所定の送信先に送信した後に、前記フレームが前記送信先に受信されたことを示す確認応答フレームを受信しなかった場合に、ＩＥＥＥ８０２．１１ａｘ規格とは異なる通信規格に準拠したフレームを再送する被試験対象（１）に対して測定を行う測定方法であって、
前記被試験対象から送信された前記フレームをディジタルの複素ベースバンド信号に変換する受信ステップ（Ｓ１３）と、
レガシ信号フィールド（Ｌ−ＳＩＧ）を含むＯＦＤＭシンボルと、Ｌ−ＳＩＧを含む前記ＯＦＤＭシンボルに続くＯＦＤＭシンボルとを前記複素ベースバンド信号から抽出するＯＦＤＭシンボル抽出ステップ（Ｓ１４）と、
前記ＯＦＤＭシンボル抽出ステップにより抽出された２つのＯＦＤＭシンボルをそれぞれ復調及び復号する復調・復号ステップ（Ｓ１５）と、
前記復調・復号ステップにより復調及び復号された２つのＯＦＤＭシンボルのビット列が一致するか否かを判断する比較判断ステップ（Ｓ１６）と、
前記復調・復号ステップにより復調及び復号された２つのＯＦＤＭシンボルのビット列が一致すると前記比較判断ステップが判断した場合に、前記確認応答フレームを前記被試験対象に送信する確認応答送信ステップ（Ｓ１７）と、
前記復調・復号ステップにより復調及び復号された２つのＯＦＤＭシンボルのビット列が一致すると前記比較判断ステップが判断した前記フレームに対して測定を行う測定ステップ（Ｓ１８）と、を含むことを特徴とする測定方法。
【発明の詳細な説明】
【技術分野】
【０００１】
本発明は、測定装置及び測定方法に関し、特に、無線ＬＡＮの通信規格に基づいて動作する被試験対象に対して測定を行う測定装置及び測定方法に関する。
【背景技術】
【０００２】
情報通信技術の発展に伴って多様な無線通信技術が開発されている。このうち無線ＬＡＮの技術に関する通信規格としては、例えばＩＥＥＥ８０２．１１ｎやＩＥＥＥ８０２．１１ａｃが知られている。ＩＥＥＥ８０２．１１ｎでは、データ処理速度が最大５４０Ｍｂｐｓ以上である高処理率（High Throughput：ＨＴ）をサポートし、送信エラーを最小化し、データ速度を最適化するために送信側及び受信側の両方に多重アンテナを使用するＭＩＭＯ（Multiple Inputs and Multiple Outputs）技術が導入されている。ＩＥＥＥ８０２．１１ａｃは、ＩＥＥＥ８０２．１１ｎがサポートするデータ処理速度よりも高い、超高処理率（Very High Throughput：ＶＨＴ）をサポートしている。
【０００３】
近年、ＩＥＥＥ８０２．１１ａｃの次のバージョンとして、高効率（High Efficiency：ＨＥ）無線ＬＡＮ規格であるＩＥＥＥ８０２．１１ａｘが提案されている。ＩＥＥＥ８０２．１１ａｘは、多数のユーザが通信を行う混雑した通信環境において、ＩＥＥＥ８０２．１１ａｃと比較してユーザ当たり約４倍の平均スループットを実現する。
【０００４】
無線ＬＡＮシステムでは、送信元の無線通信装置から送信されたフレームを送信先の無線通信装置が受信すると、送信先の無線通信装置はフレーム全体を誤りなく受信できた場合に確認応答（ＡＣＫ）フレームを送信元の無線通信装置に返送するようになっている。送信元の無線通信装置は、ＡＣＫフレームを受信できなかった場合にはフレームの再送を実施するが、この場合には、フレームの送達確率を高めるためにフレームのデータレートを下げるのが一般的である。
【０００５】
また、送信元の無線通信装置は、フレームのデータレートを最低にした状態でもＡＣＫフレームを受信できない場合には、通信規格を変更してフレームを再送する場合がある。例えば、図５に示すように、送信元の無線通信装置３０は、データレートを最低にしたＩＥＥＥ８０２．１１ａｘ規格に準拠したフレーム（以下、「ＩＥＥＥ８０２．１１ａｘフレーム」とも称する）が送信先の無線通信装置４０に受信されなかった場合には、通信規格をＩＥＥＥ８０２．１１ａｘ以外のＩＥＥＥ８０２．１１規格（例えば、ＩＥＥＥ８０２．１１ａ）に変更してフレームを再送する。
【０００６】
ところで、上記のような送信元の無線通信装置を被試験対象（Device Under Test：ＤＵＴ）として測定を行う測定装置として、ＤＵＴとネットワーク接続した状態でＤＵＴの特性を測定するものがある（例えば、特許文献１参照）。
【先行技術文献】
【特許文献】
【０００７】
【特許文献１】特許第４６７５７４３号公報
【発明の概要】
【発明が解決しようとする課題】
【０００８】
しかしながら、ＤＵＴからＩＥＥＥ８０２．１１ａｘフレームが送信されたときに、測定装置がＩＥＥＥ８０２．１１ａｘ規格に対応した復調・復号機能を備えていない場合には、この測定装置はＤＵＴからのＩＥＥＥ８０２．１１ａｘフレームを検出することができない。このため、受信誤りが発生し、ＤＵＴからのフレームの再送が頻発して、ＤＵＴからのＩＥＥＥ８０２．１１ａｘフレームの送信を維持することができなくなってしまうという問題があった。
【０００９】
本発明は、このような従来の課題を解決するためになされたものであって、ＩＥＥＥ８０２．１１ａｘ規格に準拠したフレームについて受信誤りが発生する場合であっても、被試験対象からのＩＥＥＥ８０２．１１ａｘ規格に準拠したフレームの送信を維持して被試験対象に対する測定を行うことができる測定装置及び測定方法を提供することを目的とする。
【課題を解決するための手段】
【００１０】
上記課題を解決するために、本発明に係る測定装置は、ＩＥＥＥ８０２．１１ａｘ規格に準拠したフレームを所定の送信先に送信した後に、前記フレームが前記送信先に受信されたことを示す確認応答フレームを受信しなかった場合に、ＩＥＥＥ８０２．１１ａｘ規格とは異なる通信規格に準拠したフレームを再送する被試験対象に対して測定を行う測定装置であって、前記被試験対象から送信された前記フレームをディジタルの複素ベースバンド信号に変換する受信部と、レガシ信号フィールド（Ｌ−ＳＩＧ）を含むＯＦＤＭシンボルと、Ｌ−ＳＩＧを含む前記ＯＦＤＭシンボルに続くＯＦＤＭシンボルとを前記複素ベースバンド信号から抽出するＯＦＤＭシンボル抽出部と、前記ＯＦＤＭシンボル抽出部により抽出された２つのＯＦＤＭシンボルをそれぞれ復調及び復号する復調・復号部と、前記復調・復号部により復調及び復号された２つのＯＦＤＭシンボルのビット列が一致するか否かを判断する比較判断部と、前記復調・復号部により復調及び復号された２つのＯＦＤＭシンボルのビット列が一致すると前記比較判断部が判断した場合に、前記確認応答フレームを前記被試験対象に送信する確認応答送信部と、前記復調・復号部により復調及び復号された２つのＯＦＤＭシンボルのビット列が一致すると前記比較判断部が判断した前記フレームに対して測定を行う測定部と、を備える構成である。
【００１１】
この構成により、本発明に係る測定装置は、低コストな構成でＩＥＥＥ８０２．１１ａｘ規格に準拠したフレームを検出することができる。また、本発明に係る測定装置は、ＩＥＥＥ８０２．１１ａｘ規格に準拠したフレームについて受信誤りが発生する場合であっても、被試験対象からのＩＥＥＥ８０２．１１ａｘ規格に準拠したフレームの送信を維持して被試験対象に対する測定をネットワーク接続状態で実施することができる。つまり、本発明に係る測定装置は、ＩＥＥＥ８０２．１１ａｘ規格に準拠したフレームを受信部で受信した場合には、このＩＥＥＥ８０２．１１ａｘ規格に準拠したフレームに対して測定を行うことができる。
【００１２】
また、本発明に係る測定装置においては、前記受信部は、前記被試験対象がピングコマンドに応じて送信する応答フレームを前記フレームとして受信するものであってもよい。
【００１３】
ここで、「ピング（Ｐｉｎｇ）」とは、ICMP Echo Request（応答はICMP Echo Reply）である。
【００１４】
この構成により、本発明に係る測定装置は、被試験対象がピングコマンドに応じて送信する応答フレームを受信部で受信した場合には、この応答フレームに対して測定を行うことができる。
【００１５】
また、本発明に係る測定装置においては、前記測定部は、前記被試験対象の送信特性を測定するものであってもよい。
【００１６】
この構成により、本発明に係る測定装置は、測定部により被試験対象の送信特性を測定することができる。
【００１７】
また、本発明に係る測定方法は、ＩＥＥＥ８０２．１１ａｘ規格に準拠したフレームを所定の送信先に送信した後に、前記フレームが前記送信先に受信されたことを示す確認応答フレームを受信しなかった場合に、ＩＥＥＥ８０２．１１ａｘ規格とは異なる通信規格に準拠したフレームを再送する被試験対象に対して測定を行う測定方法であって、前記被試験対象から送信された前記フレームをディジタルの複素ベースバンド信号に変換する受信ステップと、レガシ信号フィールド（Ｌ−ＳＩＧ）を含むＯＦＤＭシンボルと、Ｌ−ＳＩＧを含む前記ＯＦＤＭシンボルに続くＯＦＤＭシンボルとを前記複素ベースバンド信号から抽出するＯＦＤＭシンボル抽出ステップと、前記ＯＦＤＭシンボル抽出ステップにより抽出された２つのＯＦＤＭシンボルをそれぞれ復調及び復号する復調・復号ステップと、前記復調・復号ステップにより復調及び復号された２つのＯＦＤＭシンボルのビット列が一致するか否かを判断する比較判断ステップと、前記復調・復号ステップにより復調及び復号された２つのＯＦＤＭシンボルのビット列が一致すると前記比較判断ステップが判断した場合に、前記確認応答フレームを前記被試験対象に送信する確認応答送信ステップと、前記復調・復号ステップにより復調及び復号された２つのＯＦＤＭシンボルのビット列が一致すると前記比較判断ステップが判断した前記フレームに対して測定を行う測定ステップと、を含む構成である。
【００１８】
この構成により、本発明に係る測定方法は、低コストな構成でＩＥＥＥ８０２．１１ａｘ規格に準拠したフレームを検出することができる。また、本発明に係る測定方法は、ＩＥＥＥ８０２．１１ａｘ規格に準拠したフレームについて受信誤りが発生する場合であっても、被試験対象からのＩＥＥＥ８０２．１１ａｘ規格に準拠したフレームの送信を維持して被試験対象に対する測定をネットワーク接続状態で実施することができる。つまり、本発明に係る測定方法は、ＩＥＥＥ８０２．１１ａｘ規格に準拠したフレームを受信部で受信した場合には、このＩＥＥＥ８０２．１１ａｘ規格に準拠したフレームに対して測定を行うことができる。
【発明の効果】
【００１９】
本発明は、ＩＥＥＥ８０２．１１ａｘ規格に準拠したフレームについて受信誤りが発生する場合であっても、被試験対象からのＩＥＥＥ８０２．１１ａｘ規格に準拠したフレームの送信を維持して被試験対象に対する測定を行うことができる測定装置及び測定方法を提供するものである。
【図面の簡単な説明】
【００２０】
【図１】本発明の実施形態に係る測定装置の構成を示すブロック図である。
【図２】（ａ）はＩＥＥＥ８０２．１１ａｘのフレームフォーマットを示す図であり、（ｂ）はＩＥＥＥ８０２．１１ａのフレームフォーマットを示す図である。
【図３】本発明の実施形態に係る測定装置を用いる測定方法の処理を示すフローチャートである。
【図４】図３に示したフローチャートにおける処理を説明するためのシーケンス図である。
【図５】従来の無線通信装置間でのフレーム送受信を説明するためのシーケンス図である。
【発明を実施するための形態】
【００２１】
以下、本発明に係る測定装置及び測定方法の実施形態について、図面を用いて説明する。
【００２２】
図１に示すように、本実施形態に係る測定装置１０は、ＤＵＴ１と無線通信を行って、ＤＵＴ１に対して測定を行うものである。本実施形態では、測定装置１０は無線ＬＡＮ親機（ＡＰ：Access Point）として動作し、ＤＵＴ１は無線ＬＡＮ子機（ＳＴＡ：STAtion）として動作するものとするが、本発明はこれに限定されず、測定装置１０が無線ＬＡＮ子機、ＤＵＴ１が無線ＬＡＮ親機として動作するものであってもよい。なお、測定装置１０は、ＩＥＥＥ８０２．１１に準拠する通信規格に基づいて、ＤＵＴ１と通信するものとする。
【００２３】
ＤＵＴ１は、あらかじめ定められた変調方式及び符号化率を用いて生成されたＩＥＥＥ８０２．１１ａｘ規格に準拠したフレームを送信先である測定装置１０に送信した後に、当該フレームが測定装置１０に受信されたことを示す確認応答フレーム（ＡＣＫフレーム）を受信しなかった場合に、測定装置１０への送達確率が高まるようにＩＥＥＥ８０２．１１ａｘ規格とは異なる通信規格に準拠したフレームを再送するものである。ここで、ＩＥＥＥ８０２．１１ａｘ規格とは異なる通信規格とは、例えば、ＩＥＥＥ８０２．１１ａ／ｂ／ｇ／ｎ／ａｃのいずれかに準拠する通信規格である。
【００２４】
ＤＵＴ１と測定装置１０との間で送受信されるフレームは、低データレートのヘッダ部分と、高データレートのデータ部分からなっている。例えば、図２（ａ）はＩＥＥＥ８０２．１１ａｘのフレームフォーマットを示しており、図２（ｂ）はＩＥＥＥ８０２．１１ａのフレームフォーマットを示している。
【００２５】
図２に示した「Ｌ−ＳＴＦ」、「Ｌ−ＬＴＦ」、及び「Ｌ−ＳＩＧ」は、いわゆるレガシ・プリアンブルであり、ＩＥＥＥ８０２．１１ａ／ｂ／ｇ／ｎ／ａｃ／ａｘのいずれかの通信規格に準拠した無線通信装置であれば復号可能である。また、図２（ａ）におけるＲＬ−ＳＩＧは、ＩＥＥＥ８０２．１１ａｘ規格に特有のフィールドであり、Ｌ−ＳＩＧの完全なコピーになっている。
【００２６】
図１に示すように、本実施形態の測定装置１０は、送信データ生成部１１と、フレーム生成部１２と、送信部１３と、受信部１４と、ＯＦＤＭシンボル抽出部１５と、復調・復号部１６と、比較判断部１７と、測定部１８と、表示部１９と、操作部２０と、制御部２１と、を備える。
【００２７】
送信データ生成部１１は、ユーザが設定した送信データを生成し、フレーム生成部１２に出力するようになっている。
【００２８】
フレーム生成部１２は、送信データ生成部１１から出力されたデータを含むフレームを生成（構成）し、送信部１３に出力するようになっている。
【００２９】
送信部１３及び受信部１４は、ＩＥＥＥ８０２．１１に準拠する通信規格に基づいて、ＤＵＴ１との間で無線通信接続（ネットワーク接続）を確立するようになっている。また、送信部１３及び受信部１４は、ネットワーク接続の確立後にＤＵＴ１との間で、測定に関する各種データを送受信するようになっている。
【００３０】
例えば、受信部１４は、受信アンテナ、ダウンコンバータ、ＡＤＣ（アナログディジタルコンバータ）等を備えている。例えば、受信部１４は、ＤＵＴ１から送信されたフレームをアナログのベースバンド信号にダウンコンバートした後に直交検波し、直交検波したアナログのベースバンド信号をアナログディジタル変換（Ａ／Ｄ）によってディジタルの複素ベースバンド信号に変換する受信処理を行うようになっている。さらに、受信部１４は、ＤＵＴ１から送信されたフレームを受信処理して得られたディジタルの複素ベースバンド信号をＯＦＤＭシンボル抽出部１５と測定部１８に出力するようになっている。
【００３１】
ＯＦＤＭシンボル抽出部１５は、受信部１４により受信処理された複素ベースバンド信号から、レガシ信号フィールド（Ｌ−ＳＩＧ）を含むＯＦＤＭシンボルと、Ｌ−ＳＩＧを含む該ＯＦＤＭシンボルに続くＯＦＤＭシンボルとを抽出するようになっている。
【００３２】
復調・復号部１６は、ＯＦＤＭシンボル抽出部１５により抽出された２つのＯＦＤＭシンボルをそれぞれ復調及び復号するようになっている。例えば、復調・復号部１６は、ＦＦＴ処理によるＯＦＤＭ復調と、ＢＰＳＫ、ＱＰＳＫ、１６ＱＡＭ、６４ＱＡＭ、２５６ＱＡＭ等のいずれかの復調とを行う。また、復調・復号部１６は、復調されたＯＦＤＭシンボルに対してＩＥＥＥ８０２．１１ａ／ｂ／ｇ／ｎ／ａｃのいずれかに対応した復号を行う。つまり、本実施形態の測定装置１０としては、ＩＥＥＥ８０２．１１ａｘに対応した復調及び復号を行う機能を有していないものを想定している。
【００３３】
ＤＵＴ１から送信されたフレームが図２（ａ）に示したようなＩＥＥＥ８０２．１１ａｘフレームである場合には、復調及び復号されたＬ−ＳＩＧを含むＯＦＤＭシンボルのビット列のビット数は２４ビットである。同様に、復調及び復号されたＲＬ−ＳＩＧを含むＯＦＤＭシンボルのビット列のビット数は２４ビットである。
【００３４】
比較判断部１７は、復調・復号部１６により復調及び復号された２つのＯＦＤＭシンボルのビット列が一致するか否かを判断し、これら２つのＯＦＤＭシンボルのビット列が一致したことをもって、ＩＥＥＥ８０２．１１ａｘフレームを検出したと判断するようになっている。
【００３５】
ＤＵＴ１から送信されたフレームが図２（ａ）に示したようなＩＥＥＥ８０２．１１ａｘフレームである場合には、比較判断部１７は、Ｌ−ＳＩＧを含むＯＦＤＭシンボルと、ＲＬ−ＳＩＧを含むＯＦＤＭシンボルとの比較を行うことになるため、これら２つのＯＦＤＭシンボルのビット列が一致すると判断する。一方、図２（ｂ）に示すように、ＤＵＴ１から送信されたフレームがＩＥＥＥ８０２．１１ａｘフレームではない場合には、このフレームはＲＬ−ＳＩＧを含まないため、Ｌ−ＳＩＧを含むＯＦＤＭシンボルのビット列と、Ｌ−ＳＩＧを含む該ＯＦＤＭシンボルに続くＯＦＤＭシンボルのビット列とが完全に一致する確率は、０．５の２４乗となり極めて低い。このようにして、比較判断部１７は、高い精度でＩＥＥＥ８０２．１１ａｘフレームを検出することができる。
【００３６】
送信部１３は、符号化処理回路、変調回路、ＤＡＣ（ディジタルアナログコンバータ）、アップコンバータ、送信アンテナ等を備え、フレーム送信部１３ａと、確認応答送信部１３ｂと、を構成する。
【００３７】
フレーム送信部１３ａは、フレーム生成部１２が生成したフレームに対してディジタル変調やアップコンバート等の処理を行った後に、このフレームを送信アンテナを介してＤＵＴ１に送信するようになっている。
【００３８】
確認応答送信部１３ｂは、ＤＵＴ１との間でネットワーク接続を確立する際には、ＤＵＴ１から送信されるフレームを受信部１４が受信するごとにＡＣＫフレームをＤＵＴ１に出力するようになっている。
【００３９】
また、確認応答送信部１３ｂは、ネットワーク接続後にＤＵＴ１から受信したフレームを測定する際には、復調・復号部１６により復調及び復号された２つのＯＦＤＭシンボルのビット列が一致すると比較判断部１７が判断した場合に限って、ＡＣＫフレームをＤＵＴ１に送信するようになっている。
【００４０】
このように、確認応答送信部１３ｂは、比較判断部１７によりＩＥＥＥ８０２．１１ａｘフレームが検出された場合には、ＤＵＴ１にＡＣＫフレームを返送するため、送信元であるＤＵＴ１によるＩＥＥＥ８０２．１１ａｘフレームの送信を維持することができる。
【００４１】
受信部１４がＤＵＴ１から測定のために受信するフレームは、ＩＥＥＥ８０２．１１ａｘフレームであって、例えば、フレーム送信部１３ａがピングコマンドによりＤＵＴ１にＰｉｎｇ（ピング）リクエストフレームを送信した場合に、Ｐｉｎｇリクエストフレームに応答してＤＵＴ１が送信するＰｉｎｇリプライフレーム（応答フレーム）である。あるいは、受信部１４がＤＵＴ１から受信するフレームは、擬似ランダムビット系列などのパルスパターンのデータを含むフレームであってもよい。
【００４２】
例えば、Ｐｉｎｇリプライフレームのデータ部分には、Ｐｉｎｇデータが含まれている。Ｐｉｎｇデータは、ピングコマンドのデータと、送信特性測定用データと、を含む。送信特性測定用データは、例えば、"００００・・・"、"０１０１・・・"、"１０１０・・・"等のデータパターンを含むものであって、所定の送信特性を測定するためにユーザによって設定されたデータである。測定装置１０は、これらのデータパターンを用いることにより、ＤＵＴ１の送信特性評価において、エラーの発生しやすいデータパターンを特定することが可能になる。
【００４３】
測定部１８は、復調・復号部１６により復調及び復号された２つのＯＦＤＭシンボルのビット列が一致すると比較判断部１７が判断したＩＥＥＥ８０２．１１ａｘフレームに対して、ＤＵＴ１の送信特性に関する測定を行うようになっている。具体的には、測定部１８は、ＤＵＴ１の送信特性として、例えば、送信パワー、エラーベクトル振幅（ＥＶＭ）、コンスタレーション、スペクトラム等を測定可能である。
【００４４】
なお、測定装置１０の受信環境が劣悪であって、受信部１４において受信されたフレームの高データレートのデータ部分に受信誤りがあった場合であっても、測定部１８は、解析処理に比較的時間を掛けることができるため、送信特性を測定可能な場合がある。
【００４５】
ここで、「測定装置１０の受信環境が劣悪な場合」とは、例えば、ＤＵＴ１の送信電力は一定であるが、全方位について放射電力が一定にはならず、方向によって放射電力の強弱が生じるような状況を意味する。このような状況では、測定装置１０を用いてＤＵＴ１のアンテナ指向性に関する試験（ＯＴＡ試験、ＴＲＰ測定／ＴＩＳ測定）を行う際に、測定装置１０の受信側に到達する電力が一定ではなくなる。
【００４６】
表示部１９は、例えばＬＣＤやＣＲＴなどの表示機器で構成され、制御部２１からの制御信号に応じて、測定部１８によるＤＵＴ１の送信特性の測定結果や、比較判断部１７による判断結果などの各種表示内容を表示するようになっている。さらに、表示部１９は、各種条件を設定するためのソフトキー、プルダウンメニュー、テキストボックスなどの操作対象の表示を行うようになっている。
【００４７】
操作部２０は、ユーザによる操作入力を受け付けるためのものであり、例えば表示部１９の表示画面の表面に設けられたタッチパネルで構成される。あるいは、操作部２０は、キーボード又はマウスのような入力デバイスを含んで構成されてもよい。また、操作部２０は、リモートコマンドなどによる遠隔制御を行う外部制御装置で構成されてもよい。
【００４８】
操作部２０への操作入力は、制御部２１により検知されるようになっている。例えば、ユーザによる操作部２０の操作により、測定部１８に実行させる送信特性測定の種類をユーザが指定することなどが可能である。
【００４９】
制御部２１は、例えばＣＰＵ、ＲＯＭ、ＲＡＭ、ＨＤＤなどを含むマイクロコンピュータ又はパーソナルコンピュータ等で構成され、測定装置１０を構成する上記各部の動作を制御する。
【００５０】
なお、送信データ生成部１１、フレーム生成部１２、ＯＦＤＭシンボル抽出部１５、復調・復号部１６、比較判断部１７、及び測定部１８は、ＦＰＧＡ（Field Programmable Gate Array）やＡＳＩＣ（Application Specific Integrated Circuit）などのディジタル回路で構成することや、制御部２１による所定のプログラムの実行によりソフトウェア的に構成することが可能である。あるいは、送信データ生成部１１、フレーム生成部１２、ＯＦＤＭシンボル抽出部１５、復調・復号部１６、比較判断部１７、及び測定部１８は、ディジタル回路によるハードウェア処理と所定のプログラムによるソフトウェア処理とを適宜組み合わせて構成することも可能である。
【００５１】
以下、本実施形態の測定装置１０を用いる測定方法について、図３のフローチャートを参照しながらその処理の一例を説明する。ここでは、ＤＵＴ１から送信されるフレームがＩＥＥＥ８０２．１１ａｘフレームである場合に、ＤＵＴ１によるＩＥＥＥ８０２．１１ａｘフレームの送信を維持させる処理を説明する。なお、ここでは、受信部１４がＤＵＴ１から測定のために受信するフレームがＰｉｎｇリプライフレームであるものとする。
【００５２】
まず、送信部１３及び受信部１４は、ＤＵＴ１との間において、ＩＥＥＥ８０２．１１に準拠する通信規格に基づいて、通信の接続の確立処理等を含むネットワーク接続処理を行う（ステップＳ１１）。
【００５３】
次に、フレーム送信部１３ａは、ＰｉｎｇリクエストフレームをＤＵＴ１に送信する（ステップＳ１２）。
【００５４】
次に、受信部１４は、ＤＵＴ１から送信されたＰｉｎｇリプライフレームをディジタルの複素ベースバンド信号に変換する（受信ステップＳ１３）。
【００５５】
次に、ＯＦＤＭシンボル抽出部１５は、Ｌ−ＳＩＧを含むＯＦＤＭシンボルと、Ｌ−ＳＩＧを含む該ＯＦＤＭシンボルに続くＯＦＤＭシンボルとを、受信ステップＳ１３で得られた複素ベースバンド信号から抽出する（ＯＦＤＭシンボル抽出ステップＳ１４）。
【００５６】
次に、復調・復号部１６は、ＯＦＤＭシンボル抽出ステップＳ１４により抽出された２つのＯＦＤＭシンボルをそれぞれ復調及び復号する（復調・復号ステップＳ１５）。
【００５７】
次に、比較判断部１７は、復調・復号ステップＳ１５により復調及び復号された２つのＯＦＤＭシンボルのビット列が一致するか否かを判断することにより、ＩＥＥＥ８０２．１１ａｘフレームを検出したか否かを判断する（比較判断ステップＳ１６）。
【００５８】
比較判断ステップＳ１６において、ＩＥＥＥ８０２．１１ａｘフレームが検出されなかったと判断された場合には、制御部２１は処理を終了する。ここで、比較判断ステップＳ１６においてＩＥＥＥ８０２．１１ａｘフレームが検出されない場合とは、例えば、ＤＵＴ１がＩＥＥＥ８０２．１１ａｘフレームではないＩＥＥＥ８０２．１１規格に準拠したフレームを送信した場合や、ＤＵＴ１から送信されたフレームのヘッダ部分を受信できないほど測定装置１０の受信環境が劣悪な場合である。
【００５９】
一方、比較判断ステップＳ１６において、ＩＥＥＥ８０２．１１ａｘフレームが検出されたと判断された場合には、フレーム送信部１３ａは、確認応答フレームとしてのＡＣＫフレームをＤＵＴ１に送信する（確認応答送信ステップＳ１７）。
【００６０】
次に、測定部１８は、比較判断ステップＳ１６においてＩＥＥＥ８０２．１１ａｘ規格に準拠していると判断されたＰｉｎｇリプライフレームに対して、ＤＵＴ１の送信特性に関する測定を行う（測定ステップＳ１８）。
【００６１】
次に、表示部１９は、測定部１８が測定した測定結果を画面に表示する（ステップＳ１９）。
【００６２】
次に、前述のステップＳ１２からＳ１７までのフレームの送受信の処理の一例について、図４を用いて具体的に説明する。
【００６３】
測定装置１０は、ＰｉｎｇリクエストフレームをＤＵＴ１に送信する。ＤＵＴ１は、Ｐｉｎｇリクエストフレームを受信すると、それを受信したことを示すＡＣＫフレームを測定装置１０に送信する。
【００６４】
続いて、ＤＵＴ１は、Ｐｉｎｇリクエストフレームに応答するＰｉｎｇリプライフレームを測定装置１０に送信する。
【００６５】
測定装置１０は、そのＰｉｎｇリプライフレームがＩＥＥＥ８０２．１１ａｘフレームであると判断した場合には、ＡＣＫフレームをＤＵＴ１に送信し、当該Ｐｉｎｇリプライフレームを測定対象のフレームとして送信特性を測定する。
【００６６】
以上説明したように、本実施形態に係る測定装置１０は、ＩＥＥＥ８０２．１１ａ／ｂ／ｇ／ｎ／ａｃのいずれかに対応した復調・復号機能を備えているが、ＩＥＥＥ８０２．１１ａｘに対応した復調・復号機能を備えていない装置である。しかしながら、測定装置１０は、受信したフレームのＬ−ＳＩＧのビット列とＬ−ＳＩＧに続くフィールドのビット列とを比較する比較判断部１７を備えることで、低コストな構成でＩＥＥＥ８０２．１１ａｘフレームを検出することができる。
【００６７】
さらに、本実施形態に係る測定装置１０は、比較判断部１７によりＩＥＥＥ８０２．１１ａｘフレームを検出した場合には、ＤＵＴ１にＡＣＫフレームを送信する。このため、本実施形態に係る測定装置１０は、ＩＥＥＥ８０２．１１ａｘフレームについて受信誤りが発生する場合であっても、ＤＵＴ１からのＩＥＥＥ８０２．１１ａｘフレームの送信を維持してＤＵＴ１に対する測定をネットワーク接続状態で実施することができる。
【００６８】
すなわち、本実施形態に係る測定装置１０は、ＩＥＥＥ８０２．１１ａｘフレームを受信部１４で受信した場合には、このＩＥＥＥ８０２．１１ａｘフレームに対して測定を行うことができる。
【００６９】
また、本実施形態に係る測定装置１０は、ＤＵＴ１がピングコマンドに応じて送信するＰｉｎｇリプライフレームを受信部１４で受信した場合には、このＰｉｎｇリプライフレームに対して測定を行うことができる。
【００７０】
また、本実施形態に係る測定装置１０は、測定部１８によりＤＵＴ１の送信特性を測定することができる。
【符号の説明】
【００７１】
１  ＤＵＴ
１０  測定装置
１１  送信データ生成部
１２  フレーム生成部
１３  送信部
１３ａ  フレーム送信部
１３ｂ  確認応答送信部
１４  受信部
１５  ＯＦＤＭシンボル抽出部
１６  復調・復号部
１７  比較判断部
１８  測定部
１９  表示部
２０  操作部
２１  制御部
【図１】
2020039105.tif 000003
【図２】
2020039105.tif 000004
【図３】
2020039105.tif 000005
【図４】
2020039105.tif 000006
【図５】
2020039105.tif 000007